(57)【要約】      （修正有）【課題】異なる畝幅に合わせ、少なくとも一つの畝を跨いで使用できるよう、左右の車輪幅を前後とも簡単容易に変更調整できるので、一台が多種類の畝幅の条件で畝を跨いで作業できる簡易組立―ＸＹＺ調整式定植・間引き・収穫用車椅子台車を提供する。【解決手段】前後左右に配設される４本の車輪Ｔを個別に支える自転車前輪のフォークと同じ機能の部品（以後、フォーク４と呼ぶ）を、左右を一対として連結する一本の左右輪連結水平梁１を前後に合計２本設ける。また、自転車前輪フォークの操縦管に当る部分と当該水平梁の両端部で連結し、連結部のフォークは当該水平梁に沿って水平方向にスライド調整固定可能な構造とする。同時に長さの異なる予備の左右輪連結水平梁も簡単容易に取り替える構造とする。【選択図】図２
0003172005.tif 000002
【実用新案登録請求の範囲】
【請求項１】
四輪の腰掛式作業台車にあって、前及び後ろの左右一組の車輪の左右Ｘ方向での車輪幅の変更調整が可能で、左前輪と左後輪及び右前輪と右後輪の前後Ｙ方向の車輪間距離の変更調整が可能で、更に腰掛ける座の垂直Ｚ方向の高さの変更調整が可能なことを特徴し、更に、これらＸＹＺ方向の変更を可能にする三つの主要部材の、平行する2本の左右の車輪を連結する梁、同じく平行する2本の前後を連結する梁、及び車輪を連結する梁と前後を繋ぐ梁を垂直方向で連結する4本の支柱、これらの異なる寸法の予備品と組み替える事で、大幅な変更調整も可能とし、希望する仕様で最小の自重を実現することを特徴とする簡易組立―ＸＹＺ調整式定植・間引き・収穫用車椅子台車。
ここに、Ｘ方向とは畝溝に直交する水平方向、Ｙ方向とは畝溝に平行な方向、Ｚ方向とは垂直方向を意味する。
【請求項２】
請求項１に記載の簡易組立―ＸＹＺ調整式定植・間引き・収穫用車椅子台車にあって、前部一対２本の垂直支柱上部、後部部一対２本の垂直支柱上部、又は前部及び後部の各々一対の垂直支柱上部に少なくとも一段の着脱式棚を設けることを特徴とする簡易組立―ＸＹＺ調整式定植・間引き・収穫用車椅子台車。
【請求項３】
請求項１及び２に記載の簡易組立―ＸＹＺ調整式定植・間引き・収穫用車椅子台車にあって、前部及び後部の各々一対の垂直支柱上に直接又は加設した棚上に、屋根として覆うシートをかける骨組みを支持する支柱を設けることを特徴とする簡易組立―ＸＹＺ調整式定植・間引き・収穫用車椅子台車。
【請求項４】
請求項１、２及び３に記載の簡易組立―ＸＹＺ調整式定植・間引き・収穫用車椅子台車の、当該台車の車輪を組み込む4つのフォークにあって、同フォーク上部の自転車の前輪用フォークの操縦菅に当たる部分の梁連結部が、2本の梁が水平面でお互いに直行して連結できる機構を有し、且つ、一方の梁は車輪の転動方向と一致する事を特徴とする、前述のようなフォークで構成される簡易組立―ＸＹＺ調整式定植・間引き・収穫用車椅子台車。
【考案の詳細な説明】
【技術分野】
【０００１】
本考案は、圃場内に持ち込み、四つの車輪で支えられて、少なくとも一つの畝を跨いで移動しながら腰掛けて作業する車椅子の一種で、作業者は座って作業し、自らの足の力又は動力で移動しながら、定植作業、間引き作業、収穫作業等を行う作業補助具で、苗箱及び潅水の水を置くスペース、間引いた野菜を入れる箱を置くスペース、収穫した野菜を入れる箱を置くスペースを確保し、直射日光や雨を避ける屋根を設け、左右の車輪幅、前後の車輪間距離及び座の高さを調整可能に製作し、更に組み替えて運搬台車・作業車にも転用でき、また、長さの異なる予備の部材と交換して、大幅な寸法調整を可能にした、簡易組立―ＸＹＺ調整式定植・間引き・収穫用車椅子台車に関する。
【背景技術】
【０００２】
従来の作業方法は小さな4輪台車に苗箱又は空箱を一つ積んで、又は車輪幅の広い2輪台車に腰掛けて、かがんだ状態で同台車を移動しながら定植作業、間引き作業、収穫作業し、空又は満杯になると箱の交換に作業道又は農道までを往復していた。奥行き１００メートルの畝で、株間３０ｃｍで両畝に定植の場合、奥までの片道の作業で６６６株の作業となる。今も同じ作業形態のところは多数ある。
【０００３】
また、４輪で支持され、一つの畝を跨ぐ車椅子が市販されているが、車輪と座の相対位置は変更不可能で、全国の多品種の野菜を対称にするため、座の高さが高く固定され、可能な限り座を低くして腰への負担を軽減したい現場の声に対応できておらず、箱を置くスペースも非常に少ない。
【０００４】
また、自作の単一作物に対応する車椅子式で、５０ｃｍ前後の一つの畝を跨いで走行し、両隣の畝も同時に合計３畝の作業する物があるが、車輪幅の変更、前後輪の距離の変更及び座の高さ変更は出来ない。概して、強度が低く、大量の載荷スペースは設けられない。
【０００５】
屋根付のもの存在、及び、組み替えて他の用途に転用できる台車は確認できない。
【考案の概要】
【考案が解決しようとする課題】
【０００６】
以上に述べた従来の作業方法は、作物により、又は同じ作物でも地域差・個人差・定植時期で異なる畝幅が採用されるので、異なる畝幅に対応する。
また、作物により、作物の生育状況により、また、平畝／高畝等により、作業に悪い干渉をしない異なる最低地上高さに対応しながら、作業者の腰に負担が少ない座椅子の高さ（畝を跨ぐ部分の最低地上高）を現状に合わせ選択可能とする。
また、個人の体格差（特に足の長さ）と畝の高さに対応して、前後輪の距離を調整可能にし、一往復の作業の間、苗の補充や箱の交換の横持ち作業を少なくする為に、箱の積載スペースを大きくし、前後車輪間を変更調整しても載荷スペースを確保する。
また、本考案の簡易組立―ＸＹＺ調整式定植・間引き・収穫用車椅子台車の本体に、必要に応じて載荷棚を簡便に追加配設できるようにする。
更に、直射日光を避け、雨よけの屋根の骨組みを簡便に追加配設できるようにする。
一般に農機具は専用性が高く、トラクターのように本体が走行と動力源となり、多くのアタッチメントで異なる多種の作業をするものがあるが、アタッチメント自体は一つの作業しか出来ない。これら専用の農機具の使用期間は短く、保管期間が長く、個別に多くの保管場所を必要とする。
【０００７】
本考案は、このような従来の作業台車及び車椅子作業台車が有する問題を解決しようとするものであり、膝・腰の負担を軽減し、横持ち運搬作業を軽減し、作業効率アップを実現すると共に、天候による肉体負担を軽減することを目的とするものである。
【課題を解決するための手段】
【０００８】
そして、本考案は上記目的を達成するために前後左右に配設される４本の車輪を個別に支える自転車前輪のフォークと同じ機能の部品（以後、フォークと呼ぶ）を、左右を一対として連結する一本の左右輪連結水平梁を前後に合計２本設け、自転車前輪フォークの操縦管に当る部分と当該水平梁の両端部で連結し、連結部のフォークは当該水平梁に沿って水平方向にスライド調整固定可能な構造とした。同時に長さの異なる予備の左右輪連結水平梁も簡単容易に取り替える構造とした。
【０００９】
また、第二の課題解決の手段は、前記前後の左右輪連結水平梁に上下垂直方向に位置する垂直支柱を各二本（合計４本）配設し、当該垂直支柱は左右輪連結水平梁に対し、垂直方向に移動して調整固定可能な機構を有し、当該垂直支柱の前部左と後部左を一対、前部右と後部右を一対として、平行する２本の前後連結主梁を前述一対の垂直支柱下端で連結する構造とし、当該二本の前後連結主梁に作業者が座る座を設け、座と向かい合うスペース及び前後連結主梁が前後水平車輪梁より前後に張り出すスペースを載荷スペースとし、垂直支柱を上下さることで前後連結主梁、即ち座を上下させる構造とした。座の前方の平行する前後連結主梁の間が、跨いだ畝の作業スペースとなる。
【００１０】
また、第三の課題解決手段は、前述の前後連結主梁と垂直支柱下部との連結部分で、前後連結主梁が垂直支柱に対し前後にスライドして調整固定できる構造とし、前後輪の距離を決定し、載荷スペースを決定する。また、長さの異なる前後連結主梁も簡単容易に差し替える構造としたので、大幅な主に載荷スペースの変更に対応する。
【００１１】
また、第四の課題解決手段は、前部及び後部の各一組の垂直支柱二本の上端部に少なくとも一段の棚を、前部、後部又は前後部に、着脱容易に配設し、載荷スペースの増減を可能にし、希望する仕様での最低自重を可能にした。
【００１２】
また、第五の課題解決手段は、前部及び後部の各一組の垂直支柱二本の上端部より、又は同部に設ける棚より垂直方向に屋根支柱を設け、同支柱にブルーシート等をかける屋の骨組みを加設する構造とした。
【００１３】
また、前後連結主梁を転用して左右輪を連結する左右輪連結水平梁として用い、左右輪連結水平梁を転用して前後連結主梁として用い、それらはお互いに直交する同一平面又は同一平面の上下で連結すると横長の運搬台車と成り、分解組み立ても容易にした。
【考案の効果】
【００１４】
上述したように本考案の簡易組立―ＸＹＺ調整式定植・間引き・収穫用車椅子台車は、異なる畝幅に合わせ、少なくとも一つの畝を跨いで使用できるよう、左右の車輪幅を前後とも簡単容易に変更調整できるので、一台が多種類の畝幅の条件で畝を跨いで作業できる。
【００１５】
また、腰掛座即ち前後連結主梁を上下移動して高さ調整が出来るので、定植の場合は畝の頂上部に座の高さを調整し、また、間引き及び収穫作業の場合は成長に合わせて作物の頂上部と干渉しない高さに調整する事で、必要以上の高腰での前かがみの姿勢で作業する事を回避し、腰の負担を軽減する効果を発揮するものである。同時に座る位置が低いほど、蹴りながら後進して進む推進力は大きくなり、足への負担も軽減できる。
【００１６】
また、車輪の前後距離を調整できる構造のため、同じ溝に位置し、干渉する可能性が高い前輪車輪と作業者の足との最適位置を調整でき、前後連結主梁を長さの異なるものと差し替える事で、座と向かい合うスペース及び前後連結主梁が前後水平車輪梁より前後に張り出すスペースの載荷スペースを調整可能とし、不要な場合は短いものを使用して全体自重を軽減できる。
【００１７】
また、垂直支柱二本の上端部に少なくとも一段の棚を、前部、後部又は前後部に、着脱容易に配設する事で、必要に応じ、主として畑の奥までの距離に関連するが、載荷スペースを大幅に増加できる効果が有る。
【００１８】
また、屋根を設けることで、直射日光を遮り、熱中症や日焼けの予防、また雨中での作業を容易にする効果、特に寒い時期の雨天での作業では合羽を着用しても体が冷えるので、体調維持に効果を発揮する。
【００１９】
4本の車輪及び同車輪を支持するフォーク、これを利用して主要部材を組み替え、必要に応じ、一部追加部材を加える事で、運搬台車に変更する事ができ、分解すれば保管スペースは小さくできる。
【図面の簡単な説明】
【００２０】
【図１】本考案の簡易組立―ＸＹＺ調整式定植・間引き・収穫用車椅子台車の実施例を示す側面図である。
【図２】本車椅子台車の後部方向から見た正面図である。
【図３】主要部材の後部連結状態を示す一部省略した側面図である。
【図４】主要部材の後部連結状態を示す一部省略した平面図である。
【図５】前後連結主梁及び同梁に取り付く付属部品の平面図
【図６】作業台車に組み替えた平面図（調整固定用のボルト穴の表示は省略）
【考案を実施するための形態】
【００２１】
畝を跨ぐ四輪車椅子台車、この前輪２輪及び後輪２輪の車輪が個別に左右Ｘ方向にスライドさせて固定する構造に製作し、畝溝の最適位置に車輪位置を調整可能とした。また、前輪２輪と後輪２輪の相対距離を、左右の両輪を前後Ｙ方向にスライドさせて固定する構造に製作し、作業者の足が窮屈に曲がらない車輪の前後位置を調整可能とした。また座る座を畝や畝上の作物と干渉しない最低地上高に調整可能としたので、腰に最も負担が少ない姿勢を選択可能とした。一対の垂直支柱の水平距離を固定した状態で、同一対の垂直支柱上端部に差し込む等の方法で簡便に配設できる棚を設けて、追加の積載スペースを確保した。また、直射日光と雨よけの屋根の骨組みを、前述の垂直支柱に直接、又は前述の棚に指し込んで組み立てる構造とし、ブルーシート等で屋根を形成する構造とした。
【実施例】
【００２２】
以下、本考案の実施の形態を図１〜図６に従い説明する。１は左右の車輪を組み込んだフォーク４をスライドして相対位置が変更可能に連結し、車輪の幅を変更可能にする役目と、垂直支柱２を連結支持する主要部材の左右輪連結梁である。車輪の調整幅を大きく変更するときは予備部品で適合する長さの左右輪連結梁１と取り替えて対応するが、合計４本のボルトの着脱で、交換部材は差し替えるだけなので作業は簡単容易であり、その様に配慮した構造とした。
【００２３】
2は左右輪連結梁１と前後連結主梁３を繋ぐ中間部材の垂直支柱で、当該垂直支柱２は下部に設けた垂直支柱下部連結部２ｊで前後連結主梁３と連結し、また、当該垂直支柱２は左右輪連結梁１との結合位置を上下に調整して前後連結主梁３の高さ、即ち座の高さを調整する。
【００２４】
３は腰掛ける座Ｋを取り付け、主要な載荷スペースＳを形成し、前部車輪連結水平梁１―ｆと後部車輪連結水平梁１―ｒとを、垂直支柱２を介して、連結する部材で、平行して畝の上に吊り下げる状態で位置する前後連結主梁である。当該前後連結主梁３と垂直支柱２を連結する垂直支柱下部連結部２―ｊは前後連結主梁３がスライド可能に連結する役目で、車輪の前後距離を調整する役目を兼ねる。同時に主な載荷スペースの増減に対応するために、長さの異なる予備の前後連結主梁３と交換して使用条件を満たしながら最も自重が軽い仕様を選択できる。合計４本のボルトの着脱で、交換部材は差し替えるだけなので作業は簡単容易であり、その様に配慮した構造とした。
【００２５】
１−ｂは左右輪連結水平梁１に設けたボルト穴で、同ボルト穴は左右端部に連結するフォーク４を位置調整固定し、一対の垂直支柱の垂直間距離調整固定に利用する。利用位置が決定している場合は不要なボルト穴は省略しても良い。
【００２６】
２−ｂは垂直支柱２に設けたボルト穴で、同ボルト穴は垂直支柱２と左右輪連結水平梁１を位置調整固定する事で、同支柱下部で連結された前後連結主梁３の高さ、即ち座の高さを調整固定する。利用位置が決定している場合は不要なボルト穴は省略しても良い。
【００２７】
３−ｂは前後連結主梁３に設けたボルト穴で、同ボルト穴は座の位置調整固定、垂直支柱下部連結部２−ｊとの位置調整固定、及び載荷スペースに置く箱等の落下防止に設ける桟木等の固定に利用する。利用位置が決定している場合は不要なボルト穴は省略しても良い。
【００２８】
５は加設する少なくとも一段の棚で、載荷スペースが不足する場合に、前部、後部又は前部後部の両方の一対の垂直支柱２の上端に差し込んで設ける方法で取り付ける。後部棚５−ｒは作業者の頭に当たらない様な構造とした。
【００２９】
６は屋根用の支柱で、当該屋根支柱６に屋根用の梁を結束し、ブルーシート等で覆うが、これは利用頻度及び現地までの運搬にかさ張るので、支柱は差込とし、他の部品は紐等で固縛する方法を選択し、ブルーシートの図示は省略した。
【００３０】
連結部はボルト止めとしたが、この方法に限定するものではない。また、主要部材の素材は、鉄、アルミ、ステンレスの角菅を使用したが、丸菅でも多角菅でも型鋼でも良い。
【符号の説明】
【００３１】
１  左右輪連結水平梁
１ｂ  左右輪連結水平梁及びフォーク調整固定用ボルト穴
１ｆ  前部車輪連結水平梁
１ｒ  後部車輪連結水平梁
２  垂直支柱
２ｂ  垂直支柱と左右輪連結水平梁を連結する調整固定用ボルト穴
２ｊ  垂直支柱下部連結部
３  前後連結主梁
３ｂ  前後連結主梁と垂直支柱下部を連結する調整固定用ボルト穴、兼左右の前後連結主梁を繋ぐ腰掛ける座及び載荷スペースを形成する桟木の調整固定用ボルト穴
４  フォーク
４ｊ  フォーク連結部（自転車前輪の操縦菅部分）
４ｆ  フォークの車輪支持部分
４ｃ  フォークの梁直交連結部
５  棚
５ｆ  前部棚
５ｒ  後部棚
６  屋根用の支柱
Ａ  連結ボルト&ナット（左右輪連結水平梁と垂直支柱）取り付け位置
Ｂ  連結ボルト&ナット（左右輪連結水平梁とフォーク）取り付け位置
Ｃ  連結ボルト&ナット（前後連結主梁と垂直支柱）取り付け位置
Ｋ  腰掛ける座
Ｓ  載荷スペース
Ｔ  車輪
Ｒ  屋根部分を形成する骨組
ＵＭ  畝溝
ＵＴ  畝頂
Ｖ  苗又は間引き菜
Ｉ  桟木
Ｗ  作業者の畝上の作業スペース
Ｘ  畝溝に直交する水平方向
Ｙ  畝溝に平行する水平方向
Ｚ  垂直方向
【図１】
0003172005.tif 000003
【図２】
0003172005.tif 000004
【図３】
0003172005.tif 000005
【図４】
0003172005.tif 000006
【図５】
0003172005.tif 000007
【図６】
0003172005.tif 000008
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
農業の定植及び間引き作業に利用する腰掛式四輪作業台車にあって、当該台車は４本の車輪、同車輪を直接支持するフォーク、フォーク上部の自転車前輪の操縦管相当部、前後に設ける左右一対の車輪を連結する左右輪連結前部水平梁及び後部水平梁、該左右輪連結前部水平梁及び左右輪連結後部水平梁の中央寄りに設ける一対2本前後合計4本の垂直支柱、該垂直支柱の前部左下端及び後部左下端に設ける前後連結左主梁、該垂直支柱の前部右下端及び後部右下端に設ける前後連結右主梁、該前後連結左主梁及び前後連結右主梁に設ける座を主要構成要素とし、左右の車輪を連結する前後の左右輪連結水平梁と該梁の両端に設けるフォークはスライド移動手段を有して左右の車輪幅を変更調整可能すなわち畝幅に対応可能とし、前後に設ける左右輪連結水平梁と該水平梁に設ける合計4本の垂直支柱はスライド移動手段を有して垂直支柱を上下に移動し該支柱下端に連結する左右の前後連結主梁の高さを変更調整可能すなわち座の高さ調整に対応可能とし、前部左垂直支柱下端及び後部左垂直支柱下端と該一対支柱下端に設ける前後連結左主梁はスライド移動手段を有し、同時に平行して前部右垂直支柱下端及び後部右垂直支柱下端と該一対支柱下端に設ける前後連結右主梁はスライド移動手段を有して前後部垂直支柱間距離を変更調整可能すなわち車輪の前後距離の調整に対応可能としる、前述の如く車輪の横幅、車輪の前後間距離及び座に高さを調整可能とすることを特徴とする簡易組み立調整式定植・間引き・収穫用車椅子台車。
【請求項２】
請求項１に記載の簡易組み立調整式定植・間引き・収穫用車椅子台車にあって、前部一対二本の垂直支柱上部、後部一対二本の垂直支柱上部、又は前部及び後部の各々一対の垂直支柱上部に少なくとも一段の着脱式棚を設けることを特徴とする簡易組み立調整式定植・間引き・収穫用車椅子台車。
【請求項３】
請求項１又は２記載の簡易組み立調整式定植・間引き・収穫用車椅子台車にあって、前部及び後部の各々一対の支柱上に直接又は架設した棚上に、屋根として覆うシートをかける骨組みを支持する支柱を設けることを特徴とする簡易組み立調整式定植・間引き・収穫用車椅子台車。
【請求項４】
請求項１、２又は３記載の簡易組み立調整式定植・間引き・収穫用車椅子台車にあって、当該台車の車輪を組み込む4つのフォークにあって、同フォーク上部の自転車の操縦管に当たる部分の梁連結部が、2本の梁が水平面でお互いが直交して連結できる機構を有し、且つ、一方の梁は車輪の転動方向と一致する事を特徴とする、前述のようなフォークで構成する簡易組み立調整式定植・間引き・収穫用車椅子台車。